【事件の表示】
　特願２００２−　５００８１「スイッチドキャパシタ型安定化電源回路およびそれを用いる電子機器」拒絶査定不服審判事件〔平成１５年　９月１０日出願公開、特開２００３−２５６０５２〕について、次のとおり審決する。
【結　論】
　本件審判の請求は、成り立たない。
【理　由】
１．手続の経緯・本願の発明
　本願は、平成１４年２月２６日に出願したものであって、平成１８年７月１１日付けで拒絶査定がなされ、これに対し、同年８月１７日に拒絶査定不服審判の請求がされ、平成２０年３月１１日付けの当審拒絶理由通知書が通知され、さらに、同年５月１４日付けで手続補正書が提出されたものである。本願の請求項１に係る発明（以下「本願発明」という。）は、平成２０年５月１４日付けの手続補正書により補正された明細書及び図面の記載からみて、特許請求の範囲の請求項１に記載された次の事項により特定されるとおりのものと認める。
「発光ダイオードを点灯駆動するスイッチドキャパシタ型安定化電源回路において、
　上記スイッチドキャパシタ型安定化電源回路は、
　外付けコンデンサを用いてチャージポンプ動作を実現するスイッチおよびその制御回路を備えて構成され、
　チャージポンプ回路からの出力ラインに直列に介在される降圧式の出力電流調整回路をチップ内に内蔵し、
　前記出力電流調整回路は、
　　前記チャージポンプ回路からの出力ラインに直列に介在される電流調整用トランジスタと、
　　前記電流調整用のトランジスタの制御電流を制御する制御トランジスタと、
　　前記制御電流を電流−電圧変換する変換手段と、
　　基準電圧源と、
　　前記変換手段で設定される前記制御電流に対応した電圧値と、前記基準電圧とを相互に比較し、両者が一致するように前記制御トランジスタを介して前記電流調整用トランジスタの制御電流を調整するコンパレータと、
　　前記変換手段での変換比率または前記基準電圧を切換えることで、前記出力電流の調整を行うと共に、出力電流を一括して遮断する機能を有する切換え制御回路と、
　前記電流調整用トランジスタとカレントミラー回路を構成すると共に、前記発光ダイオードに直列に接続されたトランジスタとを備えて構成され、
　前記切換え制御回路は、複数系統の外部入力を有し、その入力信号の信号レベルの組合わせに応答して前記出力電流を段階的に調整すること、および前記制御トランジスタの出力をＯＮ／ＯＦＦ制御することを２値の制御信号に基づいて行うと共に、前記発光ダイオードに電流を供給することを特徴とするスイッチドキャパシタ型安定化電源回路。」
　
２．引用例
（１）これに対して、当審の拒絶の理由に引用された特開２０００−２４４０５２号公報（以下「引用例」という。）には、「半導体レーザ駆動装置」と題して、図面と共に次の事項が記載されている。
　
・「【０００５】次に低消費電力化のための従来技術について説明する。光ディスク装置の中には、充電式電池や乾電池を電源に用いた携帯型のものも多く市販されている。この種の装置に使用される半導体レーザ駆動装置では、消費電力を少なくして電池の使用寿命を伸ばすことが望まれる。」
　
・「【００１６】
【発明の実施の形態】〔実施形態１〕図１は、本発明による半導体レーザ駆動装置の第１の実施形態を説明するための回路図で、図中、９はバッファ回路（電圧検出手段）、１０はコンパレータ（比較手段）、１２はラッチ回路、１３はＤＣ／ＤＣコンバータで、その他従来例と同様の機能を有する部分は従来例と同じ符号が付してある。電流源１から出力された半導体レーザ駆動電流ａは半導体レーザ２に入力し、これにより半導体レーザ２が駆動される。半導体レーザ２から出射した光ビームは光情報記録媒体である光ディスク（図示しない）に向かうとともに、その一部が光検出器３に入射し、これによって半導体レーザ２の出射光量ｂが検出される。
【００１７】光検出器３の出力電流ｃは電流電圧変換器４で電圧信号ｄに変換された後、差動増幅器５の一方の入力端子に入力する。差動増幅器５の他方の入力端子には、切り替えスイッチ６を介して再生モード基準電圧源７あるいは記録モード基準電圧源８が接続される。電流電圧変換器４の出力電圧信号ｄと再生モードあるいは記録モードに応じた基準電圧信号ｅとの差が差動増幅器５により演算増幅された後、電圧信号ｆとして出力され、電流源１のトランジスタＱ1にフィードバックされる。ここで、電流電圧変換器４，差動増幅器５，スイッチ６，再生モード基準電圧源７，及び記録モード基準電圧源８によって、駆動電流制御手段が構成される。
【００１８】また、電流源１は保護抵抗Ｒ1とトランジスタＱ1とで構成されており、差動増幅器５からの出力電圧信号ｆと、電流源１から出力される駆動電流ａとの関係は次式で表される。
Ｉａ＝｛Ｖ1−（Ｖｆ＋Ｖｂｅ）｝／Ｒ
なお上式において、Ｉａは駆動電流ａの電流量、Ｖ1は電流源１の電源電圧として供給されるＤＣ／ＤＣコンバータ１３の出力電圧、Ｖｆは差動増幅器５の出力電圧信号ｆの電圧値、ＶｂｅはトランジスタＱ1のベース・エミッタ間電圧、Ｒは保護抵抗Ｒ1の抵抗値である。
【００１９】上記の構成により、基準電圧信号ｅと電流電圧変換器４の出力電圧信号ｄとが等しくなるように制御動作が行われ、その結果、半導体レーザ２からの出射光量ｂが、再生モードもしくは記録モードに応じて所定の値に制御される。電流源１の応答を高速にすることは比較的容易であり、再生モードと記録モードとの切り替えにおいて要求される数マイクロ秒の高速性を実現することは十分可能である。
【００２０】半導体レーザ２のアノード端子は、バッファ回路９を介してコンパレータ１０の一方の入力端子に接続されている。半導体レーザ２のカソード端子はＧＮＤに接続されているので、バッファ回路９からの出力電圧信号ｈは半導体レーザ２の順方向電圧（動作電圧）を表す。またコンパレータ１０の他方の入力端子には基準電圧源１１が接続されており、基準電圧信号ｉは、半導体レーザ２の順方向電圧のばらつき範囲の中央値に設定されている。バッファ回路９の出力電圧信号ｈ、つまり半導体レーザ２の順方向電圧が基準電圧信号ｉよりも大きい場合には、コンパレータ１０の出力信号ｊは「Ｌ」レベルとなり、一方、半導体レーザ２の順方向電圧が基準電圧信号ｉよりも小さい場合には、コンパレータ１０の出力信号ｊは「Ｈ」レベルとなる。
【００２１】コンパレータ１０からの出力信号ｊは、ラッチ回路１２を経て、ＤＣ／ＤＣコンバータ１３の出力電圧制御端子に入力信号ｋとして入力しする。ＤＣ／ＤＣコンバータ１３は、入力信号ｋに応じて２段階の電圧を出力し、電流源１に対する電源電圧Ｖ1として供給する。このようにして基準電圧信号ｉとバッファ回路９の出力電圧信号ｈとが比較され、その結果に応じてＤＣ／ＤＣコンバータ１３の出力電圧が２段階に制御される。」
　
・「【００２５】図３は、ＤＣ／ＤＣコンバータ１３の動作を説明するための図で、ＤＣ／ＤＣコンバータ１３のさらに詳細な構成例を示すものである。ＤＣ／ＤＣコンバータ１３は、スイッチング動作により出力電圧Ｖ1を制御するチョッパレギュレータ１３ａ、チョークコイルＬ1，及び平滑化コンデンサＣ1を有しており、平滑化された出力電圧Ｖ1を抵抗Ｒ2と、抵抗Ｒ3あるいは抵抗Ｒ4とで分圧して、電圧Ｖ2をチョッパレギュレータ１３ａにフィードバックすることにより、一定の電圧を出力するものである。
【００２６】上記のごとくの構成により、ラッチ回路１２の出力信号ｋに基づいて切り替えスイッチ１３ｂにより抵抗Ｒ3と抵抗Ｒ4とを切り替え、分圧比を替えることで、ＤＣ／ＤＣコンバータ１３の出力電圧Ｖ1を制御することが出来る。このようにして電流源１の電源電圧Ｖ1を制御することにより、トランジスタＱ1のエミッタ・コレクタ間における無効電圧を低く押さえることが出来る。
【００２７】また、ここでは、半導体レーザ２の順方向電圧と基準電圧とをコンパレータ１０を用いて比較し、ＤＣ／ＤＣコンバータ１３の出力電圧Ｖ1を２段階に制御したが、例えば、ＡＤコンバータを介して半導体レーザ２の順方向電圧を検出し、ＣＰＵによって複数の基準電圧と比較することにより、ＤＣ／ＤＣコンバータ１３の出力電圧Ｖ1を多段階に制御するように構成しても良い。」
　
・図１には、半導体レーザを駆動する安定化電源回路の構成、ＤＣ／ＤＣコンバータからの出力ラインに直列に介在される降圧式の電流源を備える構成、ＤＣ／ＤＣコンバータからの出力ラインに直列に介在されるトランジスタＱ1の構成、及び、切り替えスイッチは、モード信号を入力し、その入力信号の信号レベルに応答して基準電圧を切換える構成が示されている。
　
　これらの記載事項及び図示内容を総合すると、引用例には次の発明（以下「引用発明」という。）が記載されているものと認められる。
　
「半導体レーザを駆動する安定化電源回路において、
　上記安定化電源回路は、
　スイッチング動作により出力電圧を制御するチョッパレギュレータを有するＤＣ／ＤＣコンバータを備えて構成され、
　ＤＣ／ＤＣコンバータからの出力ラインに直列に介在される降圧式の電流源を備え、
　前記電流源は、
　　前記ＤＣ／ＤＣコンバータからの出力ラインに直列に介在されるトランジスタＱ1と、
　　前記トランジスタＱ1の駆動電流を半導体レーザに入力し、半導体レーザから出射した光ビームの一部を光検出器に入射し、光検出器の出力電流を電流電圧変換器で電圧信号に変換する変換手段と、
　　基準電圧源と、
　　前記変換手段で設定される前記駆動電流に対応した電圧信号と、前記基準電圧とを相互に比較し、両者が一致するように前記トランジスタＱ1の駆動電流を調整する差動増幅器と、
　　前記基準電圧を切換えることで、前記駆動電流の調整を行う切り替えスイッチと、
　を備えて構成され、
　前記切り替えスイッチは、モード信号を入力し、その入力信号の信号レベルに応答して基準電圧を切換えることで、前記駆動電流を再生モードもしくは記録モードに応じて所定の値に制御すると共に、前記半導体レーザに電流を供給する安定化電源回路。」
　
３．対比
（１）本願発明と引用発明とを対比すると、以下の事項が明らかである。
　（ア）引用発明の「半導体レーザを駆動する安定化電源回路」は、本願発明の「発光ダイオードを点灯駆動するスイッチドキャパシタ型安定化電源回路」と、「負荷を駆動する安定化電源回路」の概念で共通する。
　（イ）引用発明の「スイッチング動作により出力電圧を制御するチョッパレギュレータを有するＤＣ／ＤＣコンバータ」は、本願発明の「スイッチおよびその制御回路」に相当する。
　（ウ）引用発明の「電流源」はＤＣ／ＤＣコンバータからの出力ラインに直列に介在される降圧式の回路であるから、本願発明の「出力電流調整回路」に相当し、また、本願発明の「チャージポンプ回路」は引用発明の「ＤＣ／ＤＣコンバータ」の一種であるから、引用発明の「ＤＣ／ＤＣコンバータからの出力ラインに直列に介在される降圧式の電流源を備え」た態様と、本願発明の「チャージポンプ回路からの出力ラインに直列に介在される降圧式の出力電流調整回路をチップ内に内蔵し」た態様とは、「ＤＣ／ＤＣコンバータからの出力ラインに直列に介在される降圧式の出力電流調整回路を備え」たとの概念で共通する。
　（エ）引用発明の「トランジスタＱ1」は、駆動電流を調整しているトランジスタであるから、本願発明の「電流調整用トランジスタ」に相当するといえるため、引用発明の「ＤＣ／ＤＣコンバータからの出力ラインに直列に介在されるトランジスタＱ1」と、本願発明の「チャージポンプ回路からの出力ラインに直列に介在される電流調整用トランジスタ」とは、「ＤＣ／ＤＣコンバータからの出力ラインに直列に介在される電流調整用トランジスタ」との概念で共通する。
　（オ）引用発明の「トランジスタＱ1の駆動電流」は本願発明の「電流調整用のトランジスタの制御電流」に相当し、引用発明の「電流を半導体レーザに入力し、半導体レーザから出射した光ビームの一部を光検出器に入射し、光検出器の出力電流を電流電圧変換器で電圧信号に変換する」態様は本願発明の「電流を電流−電圧変換する」態様に相当するから、引用発明の「トランジスタＱ1の駆動電流を半導体レーザに入力し、半導体レーザから出射した光ビームの一部を光検出器に入射し、光検出器の出力電流を電流電圧変換器で電圧信号に変換する変換手段」と本願発明の「電流調整用のトランジスタの制御電流を制御する制御トランジスタと、前記制御電流を電流−電圧変換する変換手段」とは、「電流調整用のトランジスタの制御電流を電流−電圧変換する変換手段」との概念で共通する。
　（カ）引用発明の「駆動電流に対応した電圧信号」及び「差動増幅器」は本願発明の「制御電流に対応した電圧値」及び「コンパレータ」にそれぞれ相当するから、引用発明の「変換手段で設定される駆動電流に対応した電圧信号と、基準電圧とを相互に比較し、両者が一致するようにトランジスタＱ1の駆動電流を調整する差動増幅器」と、本願発明の「変換手段で設定される制御電流に対応した電圧値と、基準電圧とを相互に比較し、両者が一致するように制御トランジスタを介して電流調整用トランジスタの制御電流を調整するコンパレータ」とは、「変換手段で設定される制御電流に対応した電圧値と、基準電圧とを相互に比較し、両者が一致するように電流調整用トランジスタの制御電流を調整するコンパレータ」の概念で共通する。
　（キ）引用発明の「基準電圧を切換える」態様は本願発明の「変換手段での変換比率または基準電圧を切換える」態様に相当し、引用発明の「駆動電流」及び「切り替えスイッチ」は本願発明の「出力電流」及び「切換え制御回路」にそれぞれ相当するから、引用発明の「基準電圧を切換えることで、駆動電流の調整を行う切り替えスイッチ」と、本願発明の「変換手段での変換比率または基準電圧を切換えることで、出力電流の調整を行うと共に、出力電流を一括して遮断する機能を有する切換え制御回路」とは、「変換手段での変換比率または基準電圧を切換えることで、出力電流の調整を行う切換え制御回路」の概念で共通する。
　（ク）引用発明の「モード信号を入力し」た態様及び「駆動電流を再生モードもしくは記録モードに応じて所定の値に制御する」態様は本願発明の「外部入力を有し」た態様及び「出力電流を段階的に調整する」態様にそれぞれ相当するから、引用発明の「切り替えスイッチは、モード信号を入力し、その入力信号の信号レベルに応答して基準電圧を切換えることで、駆動電流を再生モードもしくは記録モードに応じて所定の値に制御すると共に、半導体レーザに電流を供給する」態様と本願発明の「切換え制御回路は、複数系統の外部入力を有し、その入力信号の信号レベルの組合わせに応答して出力電流を段階的に調整すること、および制御トランジスタの出力をＯＮ／ＯＦＦ制御することを２値の制御信号に基づいて行うと共に、発光ダイオードに電流を供給する」態様とは、「切換え制御回路は、外部入力を有し、その入力信号の信号レベルに応答して出力電流を段階的に調整すると共に、負荷に電流を供給する」との概念で共通する。
　
　そうすると、本願発明と引用発明との一致点、相違点は以下のとおりとなる。
　
（２）一致点
「負荷を駆動する安定化電源回路において、
　上記安定化電源回路は、
　スイッチおよびその制御回路を備えて構成され、
　ＤＣ／ＤＣコンバータからの出力ラインに直列に介在される降圧式の出力電流調整回路を備え、
　前記出力電流調整回路は、
　　前記ＤＣ／ＤＣコンバータからの出力ラインに直列に介在される電流調整用トランジスタと、
　　電流調整用のトランジスタの制御電流を電流−電圧変換する変換手段と、
　　基準電圧源と、
　　前記変換手段で設定される前記制御電流に対応した電圧値と、前記基準電圧とを相互に比較し、両者が一致するように前記電流調整用トランジスタの制御電流を調整するコンパレータと、
　　前記変換手段での変換比率または前記基準電圧を切換えることで、前記出力電流の調整を行う切換え制御回路と、
　を備えて構成され、
　前記切換え制御回路は、外部入力を有し、その入力信号の信号レベルに応答して前記出力電流を段階的に調整すると共に、前記負荷に電流を供給する安定化電源回路。」
　
（３）相違点
［相違点１］
　負荷に関して、本願発明では、「発光ダイオード」とし、それを「点灯」駆動しているのに対し、引用発明では、「半導体レーザ」とし、それを単に駆動している点。
［相違点２］
　安定化電源回路に関して、本願発明では、「スイッチドキャパシタ型」であり、「外付けコンデンサを用いてチャージポンプ動作を実現する」スイッチおよびその制御回路とされているのに対し、引用発明ではかかる特定がされていない点。
［相違点３］
　ＤＣ／ＤＣコンバータに関して、本願発明では「チャージポンプ回路」と特定しているのに対し、引用発明ではかかる特定がされていない点。
［相違点４］
　出力電流調整回路に関して、本願発明では「チップ内に内蔵」しているのに対し、引用発明ではかかる特定がされていない点。
［相違点５］
　同じく出力電流調整回路に関して、本願発明では、電流調整用のトランジスタの制御電流を「制御する制御トランジスタ」を備えているのに対し、引用発明ではかかる特定がされていない点。
［相違点６］
　同じく出力電流調整回路に関して、電流調整用トランジスタの制御電流を調整する際に、本願発明では「制御トランジスタを介して」いるのに対し、引用発明ではかかる特定がされていない点。
［相違点７］
　同じく出力電流調整回路に関して、切換え制御回路に対し、本願発明では「出力電流を一括して遮断する機能を有する」としているのに対し、引用発明ではかかる特定がされていない点。
［相違点８］
　同じく出力電流調整回路に関して、本願発明では「電流調整用トランジスタとカレントミラー回路を構成すると共に、発光ダイオードに直列に接続されたトランジスタ」を備えているのに対し、引用発明ではかかる特定がされていない点。
［相違点９］
　同じく出力電流調整回路に関して、切換え制御回路に対し、本願発明では「複数系統の」外部入力を有し、その入力信号の信号レベル「の組合わせ」に応答して出力電流を段階的に調整するのに対し、引用発明ではかかる特定がされていない点。
［相違点１０］
　同じく出力電流調整回路に関して、切換え制御回路に対し、本願発明では「制御トランジスタの出力をＯＮ／ＯＦＦ制御することを２値の制御信号に基づいて行う」としているのに対し、引用発明ではかかる特定がされていない点。
　
４．判断
　上記相違点１ないし相違点１１について以下検討する。
（１）相違点１について
　不必要な電力消費を低減するように発光ダイオードを点灯駆動することは、例えば特開２００１−３５０４２１号公報（段落【００６０】を参照。）に開示されているように周知技術であり、引用発明も低消費電力化を目的とするものであるから、引用発明において不必要な電力消費を低減するという課題の下に、負荷として上記周知の発光ダイオードを点灯駆動するようにすることは、当業者にとって容易である。
　
（２）相違点２および相違点３について
　電源回路の技術分野において、外付けコンデンサを用いてチャージポンプ動作を実現するスイッチおよびその制御回路を備えて構成されたスイッチドキャパシタ型安定化電源回路により高効率化を図ることは、例えば特開平９−１９１６３９号公報（【０００２】、【０００６】、【０００９】、図１）、特開平１０−２１４０６３号公報（【００１８】、【００３１】、【００３６】、図１、図１１）に開示されているように周知技術であるから、引用発明において高効率化という課題の下に、この周知技術を適用して相違点２および相違点３に係る本願発明の構成とすることは、当業者にとって容易である。 
　
（３）相違点４について
　電源回路の技術分野において、必要な回路部分をワンチップ化することにより小型化を図ることは、例えば特開平１０−２１４０６３号公報（【００１８】、図１）、特開２００１−１０３７３６号公報（【０００７】、【００１２】、図１）に開示されているように周知技術であるから、小型化という課題の下に、この周知技術を引用発明に適用することにより相違点４に係る本願発明の構成とすることは、当業者にとって容易である。
　
（４）相違点５、相違点６、相違点７および相違点１０について
　電源回路の技術分野において、電流調整用のトランジスタの制御電流を制御トランジスタを介して制御することは、周知技術である（例えば特開平８−１６９１３９号公報、【００２６】〜【００２８】、図７を参照。）から、電源回路の技術分野に属する引用発明において上記周知技術を適用することにより相違点５および相違点６に係る本願発明の構成とすることは、当業者にとって容易であり、その際に、出力電流を段階的に調整する切換え制御回路においてコンパレータの出力側に設けたトランジスタの出力をＯＮ／ＯＦＦ制御することを２値の制御信号に基づいて行うことによりコンパレータの出力を遮断するという電源回路の技術分野における周知技術（例えば特開平２−１９９０９号公報、２頁左下欄下から１行〜同頁右上欄３行、３頁左下欄８行〜同頁右下欄１７行、第２図を参照。）を採用して相違点１０に係る本願発明の構成とすることは単なる設計的事項に過ぎず、また、これによりコンパレータの出力を遮断することにより、切換え制御回路が出力電流を一括して遮断する機能を有するという相違点７に係る本願発明の構成を満たすことは、当業者にとって自明である。
　
（５）相違点８について
　電源回路の技術分野において、電流調整用トランジスタとカレントミラー回路を構成すると共に、負荷に直列に接続されたトランジスタを備えることは、周知技術である（例えば特開平８−１６９１３９号公報、【００２６】〜【００２８】、図７を参照。）から、電源回路の技術分野に属する引用発明において、上記周知技術を適用することは当業者にとって容易であり、その際に、負荷として周知の発光ダイオードを用いることは、当業者にとって任意である。
　
（６）相違点９について
　電源回路の技術分野において、複数系統の外部入力を有し、その入力信号の信号レベルの組合わせに応答して出力電流を段階的に調整する切換え制御回路は、周知技術である（例えば特開平２−１９９０９号公報、３頁左下欄８行〜同頁右下欄１７行、第２図を参照。）から、引用発明において、外部入力を有し、その入力信号の信号レベルに応答して出力電流を段階的に調整するという範囲内で、この周知技術を適用することにより相違点９に係る本願発明の構成とすることは、当業者にとって容易である。
　
　そして、本願発明の全体構成により奏される効果も、引用発明及び上記周知技術から当業者が予測し得る範囲内のものである。
　
５．むすび
　したがって、本願発明は、引用発明及び上記周知技術に基いて当業者が容易に発明をすることができたものであるので、特許法第２９条第２項の規定により特許を受けることができない。
　よって、結論のとおり審決する。